(57)【要約】【課題】  フレキシブルディスクと姿勢制御兼光学補正板とを用いた記録再生装置において、フレキシブルディスクの局所的な面ぶれを低減する技術を提供する。【解決手段】  ディスク回転時にフレキシブルディスクと姿勢制御兼光学補正板との間に一定の空気流を発生させることにより、エア噛みの発生を抑制する。【選択図】          図１
2006344291.tif 000002
【特許請求の範囲】
【請求項１】
薄型光ディスクと、薄型光ディスクの回転面に平行に配置されてディスク回転時に薄型光ディスクの姿勢を制御する姿勢制御板とを備えた記録再生装置において、
前記姿勢制御板の薄型光ディスクと対向する面にスペーサーを設けることにより、ディスク回転時に、前記姿勢制御板と薄型光ディスクとの間に一定の間隔を確保するようにしたことを特徴とする記録再生装置。
【請求項２】
薄型光ディスクと、薄型光ディスクの回転面の両側において該回転面に平行に配置されてディスク回転時に薄型光ディスクの姿勢を制御する１対の姿勢制御板とを備えた記録再生装置において、
前記各姿勢制御板の薄型光ディスクと対向する面にスペーサーを設けることにより、ディスク回転時に、前記各姿勢制御板と薄型光ディスクとの間に一定の間隔を確保するようにしたことを特徴とする記録再生装置。
【請求項３】
前記姿勢制御板のうち少なくとも１つは、薄型光ディスクに照射される記録再生用レーザーに対して光学補正を行うものであり、前記記録再生装置は、前記光学補正を行う姿勢制御板を通じて薄型光ディスクに記録再生用レーザーを照射することにより記録再生を行なうことを特徴とする請求項１又は２に記載の記録再生装置。
【請求項４】
前記スペーサーは、前記姿勢制御板と薄型光ディスクとの間の空間において、前記姿勢制御板及び薄型光ディスクの半径方向に貫通した１以上の通気口を有していることを特徴とする請求項１から３のいずれか１項に記載の記録再生装置。
【請求項５】
前記姿勢制御板は、前記スペーサーの設置位置よりも外周寄りの位置に１以上の貫通した通気口を有していることを特徴とする請求項１から３のいずれか１項に記載の記録再生装置。
【請求項６】
前記記録再生装置は、前記姿勢制御板及び薄型光ディスクをディスク回転軸に固定するためのクランプであって、ディスク回転軸方向に貫通した１以上の通気口を有するクランプを備えていることを特徴とする請求項１から３のいずれか１項に記載の記録再生装置。
【請求項７】
前記姿勢制御板は、薄型光ディスクよりも大きな外径を有していることを特徴とする請求項１から６のいずれか１項に記載の記録再生装置。
【請求項８】
前記姿勢制御板及び薄型光ディスクのうち、少なくとも１つの表面に帯電防止加工を施したことを特徴とする請求項１から７のいずれか１項に記載の記録再生装置。
【請求項９】
前記姿勢制御板と薄型光ディスクとの対向する表面に、同じ組成からなる帯電防止用被膜が形成されている請求項７に記載の記録再生装置。
【請求項１０】
薄型光ディスクと、薄型光ディスクの回転面に平行に配置された姿勢制御板とを備えた記録再生装置において、薄型光ディスクの姿勢を制御する方法であって、
前記姿勢制御板の薄型光ディスクと対向する面において、前記姿勢制御板と薄型光ディスクとの間に一定の間隔を確保するためのスペーサーを設け、
前記スペーサーに前記姿勢制御板及び薄型光ディスクの半径方向に貫通した１以上の通気口を設けることにより、
ディスク回転時に、前記姿勢制御板と薄型光ディスクとの間に一定に空気の流れを発生させることを特徴とする方法。
【請求項１１】
薄型光ディスクと、薄型光ディスクの回転面に平行に配置された姿勢制御板とを備えた記録再生装置において、薄型光ディスクの姿勢を制御する方法であって、
前記姿勢制御板の薄型光ディスクと対向する面において、前記姿勢制御板と薄型光ディスクとの間に一定の間隔を確保するためのスペーサーを設け、
前記姿勢制御板において、前記スペーサーの設置位置よりも外周寄りの位置に１以上の貫通した通気口を設けることにより、
ディスク回転時に、前記姿勢制御板と薄型光ディスクとの間に一定に空気の流れを発生させることを特徴とする方法。
【請求項１２】
薄型光ディスクと、薄型光ディスクの回転面に平行に配置された姿勢制御板とを備えた記録再生装置において、薄型光ディスクの姿勢を制御する方法であって、
前記姿勢制御板及び薄型光ディスクをディスク回転軸に固定するためのクランプにおいて、ディスク回転軸方向に貫通した１以上の通気口を設けることにより、
ディスク回転時に、前記姿勢制御板と薄型光ディスクとの間に一定に空気の流れを発生させることを特徴とする方法。
【発明の詳細な説明】
【技術分野】
【０００１】
本発明は、薄型光ディスクの姿勢を保持するとともに記録再生のための光学補正を行う機構を備えた薄型光ディスクの記録再生装置に関し、より詳細には、薄型光ディスクに沿って姿勢保持用及び／又は光学補正用の板状部材を配置することより、薄型光ディスクの記録再生時に面ぶれが発生するのを抑制する機構を備えた薄型光ディスクの記録再生装置に関するものである。
【背景技術】
【０００２】
従来、重要且つ膨大な量のデータを扱う企業等では、磁気テープやハードディスクのみに頼ったデータ管理システムを採用していた。ところが、磁気テープは、テープ同士の癒着などを防止するための定期的なメンテナンスを行う必要があり、このメンテナンス高いコストがかかる。また、ハードディスクは、ドライブと磁気記録媒体とが一対となっているため、ドライブが故障するとそのドライブと対になっている磁気記録媒体に記録された情報は再生できなくなる。このため、ドライブの故障に備えてデータをミラーリングしておくなどの対策を行わなければならないが、このような対策を行っていても、ミラーリングされたディスクと元のディスクとが同時に故障してしまった場合や、障害発生時にデータの復旧が完了する前にミラーリングされたディスクが更に故障してしまった場合などには、データの復旧が不可能となってしまう。
【０００３】
そこで、昨今ではメンテナンスが容易で且つ信頼性の高い光記録媒体（光ディスク）を一部利用したデータ管理システムが注目されている。光ディスクを一部利用した管理システムでは、データの書換えが頻繁に行われるデータに関してはハードディスク等を利用し、アクセスは少ないが情報の長期保存が求められるデータに関しては光ディスクを利用するなどの工夫がなされている。光ディスクは、塵埃等による特性劣化さえ防げば基本的にメンテナンスフリーであり、ハードディスクの場合とは異なり、仮に記録再生用のドライブが故障しても光ディスクを別のドライブに移動させれば何ら問題ない。即ち、光ディスクを利用することにより、トラブルシューティングに要する時間を飛躍的に短縮することができるとともに、重要な情報を失う危険性が大幅に低減される。
【０００４】
このように、光ディスクは、メンテナンスが容易で且つ信頼性の高い記録媒体として既に重要な位置を占めるに至っているが、最近の情報通信技術の発達により、更なる取り扱いの容易さの向上や記憶容量の増大に期待が集まっている。ここで、光ディスクの記憶容量を増大するためには、トラック間隔（トラックピッチ）を狭くし且つ記録マークの間隔を狭くする必要がある。しかしながら、トラック間隔や記録マークの間隔がレーザー光のスポット径λ／ＮＡ（λ：レーザー光の波長、ＮＡ：絞り込みレンズの開口数）より小さくなると、１つの光スポット内に複数の記録マークが入ってしまうので、個々の記録マークの識別ができなくなってしまう。即ち、光ディスクの記録容量は、レーザー光の波長と開口数とからその限界が決まっており、特別な方法を取らない限りこの限界を超えて大容量化を図ることは不可能である。
【０００５】
このような上限を超えて光ディスクを大容量化する方法として、光学超解像、磁気超解像方式やスーパーレンズ、ホログラムなどといった様々な試みがなされているが、最も効率的な方法としては、光ディスク基板の厚みを薄くして体積当たりの記録容量を増やすことが挙げられる。例えば、特許文献１〜３に記載されているように、薄型光ディスクと、薄型光ディスクを面ぶれさせずに安定に回転させるためのスタビライザーとを組み合わせた記録再生装置を構成することにより、従来の光ディスクに比べて体積当たりの記録容量が数倍大きい薄型光ディスクの記録再生装置が実現されている。ここで用いられている厚さ１００μｍ程度の薄い基板からなる光ディスクのことを、以下では「フレキシブルディスク」と呼ぶ。
【０００６】
フレキシブルディスクを使用する他の方法として、上記したようにスタビライザーを用いる他に、平面の寸法形状がフレキシブルディスクとほぼ同じである円盤状ガラス板を用いてフレキシブルディスクを支持する方法が挙げられる。上記ガラス板は光学ガラスで作製されており、記録再生用のレーザー光をこのガラス板を介してフレキシブルディスクに照射すると、従来の光ディスクと同様に記録再生が行えるようになっている（従来の光ディスク記録再生装置の光学系との互換性が確保されている）。例えば、ＤＶＤピットパターンが転写された１００μｍ厚のフレキシブルディスクの上に５００μｍ厚の円盤状光学ガラス板をほぼ中心が重なるようにして載せたものを市販のＤＶＤドライブを用いて再生すると、上記のフレキシブルディスク上にピットパターンとして刻まれた情報の再生を行うことが可能であることを、本発明者らは確認している。ここで用いた円盤状光学ガラス板は、フレキシブルディスクを支持するとともに、記録再生用のレーザー光に対して光学補正を行うものであるから、以下では「姿勢制御兼光学補正板」と呼ぶ。
【０００７】
フレキシブルディスクを用いた記録再生装置においては、後者の姿勢制御兼光学補正板を用いる方法の方がより簡便にシステムを構築することができるので、圧倒的に有利である。
【０００８】
【特許文献１】特開昭６２−２１２９３５号公報。
【特許文献２】特開２００３−３３１５６１号公報。
【特許文献３】特開２００３−９１９７０号公報。
【発明の開示】
【発明が解決しようとする課題】
【０００９】
ところが、本発明者らの検証によれば、フレキシブルディスクは剛性が低くかつ静電気を持ちやすいため、従来の光ディスク基板とは異なる挙動を示すことが判明した。ここで、フレキシブルディスクまたは姿勢制御兼光学補正板のどちらか一方或いは両方が静電気を持っている場合を考える。このような状態でフレキシブルディスクが姿勢制御兼光学補正板上にセットされる際には、フレキシブルディスク全体が完全に平らになることは無く、所々においてフレキシブルディスクと姿勢制御兼光学補正板との間に空気が閉じこめられた領域ができる（この現象をエア噛みが生じると言う）。
【００１０】
このようなエア噛みは、およそ次のようにして生じるものと考えられる。
(I) 静電気によりフレキシブルディスクのある一部分が姿勢制御兼光学補正板に接着する。
(II) その接着部分には他の領域より大きな静電力が働くようになるため、その周辺部分も次々と接着し、接着領域が拡がっていく。
(III) 接着領域の拡張につれてフレキシブルディスクに歪みが発生し、この歪みによる力が静電気による力を上回るような部分が発生する。
(IV) 大きく歪んだ部分の周りには接着部分ができず、やや離れた位置においてまた接着領域ができる。
【００１１】
次に、以上のようなエア噛みが生じた場合に、情報の記録再生において生じる問題点を説明する。通常の厚板基板が回転している状態で、基板上の一点のｚ軸方向（基板平面と垂直な方向）における変位量y(t)は、
y(t) = δsinωt    （δ；最大変位量、ω；角速度、t；時刻）
と表される。
【００１２】
このときのz軸方向の加速度aは一般に面ぶれ加速度と呼ばれ、
a = y(t)’’ = -δω2sinωt    （変位量y(t)を時刻tで2回微分した）
と表される。
【００１３】
ここで最大変位量δをデシベルで表現すると、
δ = 20log(a/ω2) = -40log(f) -40log(2π) + 20log(a)    （f；周波数）
と表される。
【００１４】
通常の厚板基板に関して、周波数と面ぶれ量との関係を図１０のグラフに示す（図中実線で示している）。記録再生装置のドライブでは、フォーカスサーボにより、上記基板の面ぶれ（面ぶれ加速度）に対してアクチュエーター及び対物レンズが追従することにより、レーザー光が正しく情報面にフォーカスされるように制御している。上記のフォーカスサーボは、アクチュエーター及び対物レンズが余裕を持って面ぶれに追従できるように、周波数に応じた十分なサーボ特性（図中一点鎖線で示す）を有するように設計されているものとする。
【００１５】
一方、基板厚が１００μｍ程度のフレキシブルディスク（薄型基板）と姿勢制御兼光学補正板とを用いた場合には、“エア噛み”によって局所的な面ぶれが発生する。更には、このエア噛みは、ディスクが回転しても消えずにフレキシブルディスクと姿勢制御兼光学補正板との間に残る。このときのフレキシブルディスク上の一点のｚ軸方向における変位量y(t)は、
y(t) = δsinωt + （局所的な面ぶれによる高次の変位量）
と表される。
【００１６】
このときのz軸方向の面ぶれ加速度aには、上式における第２項（局所的な面ぶれによる高次の変位量）を２回微分した要素が新たに加わるため、フレキシブルディスクの面ぶれ量は、上記の通常の厚板基板を用いた場合とは異なった周波数特性（図１０のグラフ中点線で示す）を示すことになる。したがって、フレキシブルディスクを用いる場合には、通常の厚板基板を用いた場合に比べてフォーカスサーボによるフォーカス追従が困難となっている。
【００１７】
以上のように、フレキシブルディスクと姿勢制御兼光学補正板とを用いた記録再生装置のいては、安定なフォーカシングを行うために、静電気を原因とするエア噛みの対策をすることが重要な課題となっている。そこで、本発明は、フレキシブルディスクと姿勢制御兼光学補正板とを用いた記録再生装置において、フレキシブルディスクの局所的な面ぶれを低減する技術を提供しようとするものである。
【課題を解決するための手段】
【００１８】
上記解決課題に鑑みて鋭意研究の結果、本発明者は、ディスク回転時にフレキシブルディスクと姿勢制御兼光学補正板との間に一定の空気流を発生させることにより、エア噛みの発生を抑制できることに着目し、本発明をなすに至った。
【００１９】
すなわち、本発明は、薄型光ディスクと、薄型光ディスクの回転面に平行に配置されてディスク回転時に薄型光ディスクの姿勢を制御する姿勢制御板とを備えた記録再生装置において、前記姿勢制御板の薄型光ディスクと対向する面にスペーサーを設けることにより、ディスク回転時に、前記姿勢制御板と薄型光ディスクとの間に一定の間隔を確保するようにしたことを特徴とする記録再生装置を提供するものである。
【００２０】
本発明は、また、薄型光ディスクと、薄型光ディスクの回転面の両側において該回転面に平行に配置されてディスク回転時に薄型光ディスクの姿勢を制御する１対の姿勢制御板とを備えた記録再生装置において、前記各姿勢制御板の薄型光ディスクと対向する面にスペーサーを設けることにより、ディスク回転時に、前記各姿勢制御板と薄型光ディスクとの間に一定の間隔を確保するようにしたことを特徴とする記録再生装置を提供するものである。
【００２１】
本発明の薄型光ディスクの記録再生装置において、前記姿勢制御板のうち少なくとも１つは、薄型光ディスクに照射される記録再生用レーザーに対して光学補正を行うものであり、前記記録再生装置は、前記光学補正を行う姿勢制御板を通じて薄型光ディスクに記録再生用レーザーを照射することにより記録再生を行なうことを特徴とする。これにより、従来のＤＶＤ等の光学系により薄型光ディスクを記録再生することが可能となる。また、姿勢制御板に光学補正板を兼ねさせることにより、装置構成をコンパクト化できる。
【００２２】
本発明の薄型光ディスクの記録再生装置において、前記スペーサーは、前記姿勢制御板と薄型光ディスクとの間の空間において、前記姿勢制御板及び薄型光ディスクの半径方向に貫通した１以上の通気口を有していることを特徴とする。これにより、前記姿勢制御板と薄型光ディスクとの間の空間において、中心から外周方向に向かう一定の空気の流れを発生させることができる。
【００２３】
本発明の薄型光ディスクの記録再生装置において、前記姿勢制御板は、前記スペーサーの設置位置よりも外周寄りの位置に１以上の貫通した通気口を有していることを特徴とする。これにより、前記姿勢制御板と薄型光ディスクとの間の空間において、中心から外周方向に向かう一定の空気の流れを発生させることができる。
【００２４】
本発明の薄型光ディスクの記録再生装置は、前記姿勢制御板及び薄型光ディスクをディスク回転軸に固定するためのクランプであって、ディスク回転軸方向に貫通した１以上の通気口を有するクランプを備えていることを特徴とする。これにより、前記姿勢制御板と薄型光ディスクとの間の空間において、中心から外周方向に向かう一定の空気の流れを発生させることができる。
【００２５】
本発明の薄型光ディスクの記録再生装置において、前記姿勢制御板は、薄型光ディスクよりも大きな外径を有していることを特徴とする。このように構成すれば、より高い姿勢安定化効果が得られることが実験的に判明している。
【００２６】
本発明の薄型光ディスクの記録再生装置において、前記姿勢制御板及び薄型光ディスクのうち、少なくとも１つの表面に帯電防止加工を施したことを特徴とする。また、前記姿勢制御板と薄型光ディスクとの対向する表面に、同じ組成からなる帯電防止用被膜を形成するのが好ましい。これにより、局所的な面ぶれの発生原因となる静電気の発生を抑制することができる。
【００２７】
本発明は、また、薄型光ディスクと、薄型光ディスクの回転面に平行に配置された姿勢制御板とを備えた記録再生装置において、薄型光ディスクの姿勢を制御する方法であって、前記姿勢制御板の薄型光ディスクと対向する面において、前記姿勢制御板と薄型光ディスクとの間に一定の間隔を確保するためのスペーサーを設け、前記スペーサーに前記姿勢制御板及び薄型光ディスクの半径方向に貫通した１以上の通気口を設けることにより、ディスク回転時に、前記姿勢制御板と薄型光ディスクとの間に一定に空気の流れを発生させることを特徴とする方法を提供するものである。
【００２８】
本発明は、また、薄型光ディスクと、薄型光ディスクの回転面に平行に配置された姿勢制御板とを備えた記録再生装置において、薄型光ディスクの姿勢を制御する方法であって、前記姿勢制御板の薄型光ディスクと対向する面において、前記姿勢制御板と薄型光ディスクとの間に一定の間隔を確保するためのスペーサーを設け、前記姿勢制御板において、前記スペーサーの設置位置よりも外周寄りの位置に１以上の貫通した通気口を設けることにより、ディスク回転時に、前記姿勢制御板と薄型光ディスクとの間に一定に空気の流れを発生させることを特徴とする方法を提供するものである。
【００２９】
本発明は、また、薄型光ディスクと、薄型光ディスクの回転面に平行に配置された姿勢制御板とを備えた記録再生装置において、薄型光ディスクの姿勢を制御する方法であって、前記姿勢制御板及び薄型光ディスクをディスク回転軸に固定するためのクランプにおいて、ディスク回転軸方向に貫通した１以上の通気口を設けることにより、ディスク回転時に、前記姿勢制御板と薄型光ディスクとの間に一定に空気の流れを発生させることを特徴とする方法を提供するものである。
【発明の効果】
【００３０】
以上、説明したように、本発明の薄型光ディスクの記録再生装置によれば、フレキシブルディスクと姿勢制御兼光学補正板との間に発生する静電気を原因とするエア噛みを効果的に抑制することができるので、フレキシブルディスクの局所的な面ぶれが低減され、高い記録再生性能が実現される。
【発明を実施するための最良の形態】
【００３１】
以下、添付図面を参照しながら、本発明の薄型光ディスクの記録再生装置を実施するための最良の形態を詳細に説明する。図１〜図９は、本発明の実施の形態を例示する図であり、これらの図において、同一の符号を付した部分は同一物を表わし、基本的な構成及び動作は同様であるものとする。
【００３２】
本発明の薄型光ディスクの記録再生装置は、フレキシブルディスクと姿勢制御兼光学補正板とを用い、姿勢制御兼光学補正板のフレキシブルディスクに対向する面の内周縁に沿ってスペーサーを配置していることを特徴とするものである。
【００３３】
図１は、薄型光ディスク記録再生装置の回転機構部分の第１の構成例を概略的に示す断面図である（ディスクの回転面に垂直な断面を示している）。図１に示す回転機構は、ターンテーブル１０３と、円盤状の姿勢制御兼光学補正板１０２と、フレキシブルディスク１０６と、クランプ１０４とを含んでいる。姿勢制御兼光学補正板１０２及びフレキシブルディスク１０６は、ターンテーブル１０３とクランプ１０４との間に挟まれて、ターンテーブル１０３の回転駆動により回転されるようになっている。姿勢制御兼光学補正板１０２のフレキシブルディスク１０６に対向する面には、その内周縁に沿ってスペーサー１０５が配置されている。このスペーサー１０５によりフレキシブルディスク１０６の内周縁付近が押さえられるようになっている。
【００３４】
図１の下部には、姿勢制御兼光学補正板１０２のフレキシブルディスク１０６に対向する面の平面図を示している。図に示すように、姿勢制御兼光学補正板１０２の内周縁に沿って、複数の扇形のスペーサー１０５が配置されている。このようなスペーサー１０５の形状及び配置により、スペーサー１０５がフレキシブルディスク１０６に押し当てられた状態でも、スペーサー１０５間の隙間から空気が出入りできるようになっている。
【００３５】
図１に示す薄型光ディスク記録再生装置の回転機構部分が回転すると、姿勢制御兼光学補正板１０２とフレキシブルディスク１０６との間において、内周縁から外周縁に向かって空気の流れが発生する。このとき、上記したようにスペーサー１０５間の隙間が空気の流入口となるので、ディスク回転中は一定した空気の流れが生じることになる。これにより、静電気によって生じる局所的な面ぶれが効果的に除去される。
【００３６】
図２は、薄型光ディスク記録再生装置の回転機構部分の第２の構成例を概略的に示す断面図である。第２の構成例では、図１に示す構成に加えて、フレキシブルディスク１０６の上側に姿勢制御板１０１を配置している。姿勢制御板１０１のフレキシブルディスク１０６に対向する面には、姿勢制御兼光学補正板１０２と同様に、内周縁に沿ったスペーサー１０５が配置されている。ディスク回転時には、姿勢制御兼光学補正板１０２とフレキシブルディスク１０６との間、及び姿勢制御板１０１とフレキシブルディスク１０６との間のそれぞれにおいて、内周縁から外周縁に向かって空気の流れが発生する。これにより、静電気によって生じる局所的な面ぶれが効果的に除去される。
【００３７】
第２の構成例では、姿勢制御兼光学補正板１０２とフレキシブルディスク１０６との間、及び姿勢制御板１０１とフレキシブルディスク１０６との間に空気流によるほぼ均等な負圧が発生するので、これによりフレキシブルディスク１０６の姿勢安定化をより効果的に行うことができる。例えば、フレキシブルディスク１０６の一部が下方に垂れるとその上部ではより大きな負圧が発生するため、垂れ下がった部分を上に持ち上げようとする力が働くことになる。この作用は、回転が速いほど大きく働く。
【００３８】
図３は、薄型光ディスク記録再生装置の回転機構部分の第３の構成例を概略的に示す断面図である。第３の構成例では、第２の構成例と同様に構成した上に、姿勢制御板１０１及び姿勢制御兼光学補正板１０２のスペーサー１０５よりもやや外周寄りの位置にエア流入口１０７を設けている。エア流入口１０７は、姿勢制御板１０１及び姿勢制御兼光学補正板１０２それぞれの内周縁付近に複数の貫通孔を円周状に配置することにより形成する。貫通孔の径、数、配置などは、姿勢制御板１０１及び姿勢制御兼光学補正板１０２の強度を損なわない程度とする。これにより、ディスク回転時には、姿勢制御兼光学補正板１０２とフレキシブルディスク１０６との間、及び姿勢制御板１０１とフレキシブルディスク１０６との間のそれぞれにおいて、内周縁から外周縁に向かって一定の空気の流れが発生するので、静電気によって生じる局所的な面ぶれが効果的に除去される。尚、スペーサー１０５は、図１に示すような形状ではなく環状のものを用いてもよい。
【００３９】
図４は、薄型光ディスク記録再生装置の回転機構部分の第４の構成例を概略的に示す断面図である。第４の構成例では、第２の構成例と同様に構成した上に、クランプ１０４に貫通孔を設けている。貫通孔の径、数、配置などは、クランプ１０４の強度を損なわない程度とする。これにより、ディスクの回転軸付近に空気の流入口を確保することができるので、第２の構成例よりも高い姿勢安定化の効果が期待される。
【００４０】
尚、第１〜第４の構成例では、光ヘッドをフレキシブルディスク１０６の下側に設置することを前提として、姿勢制御兼光学補正板１０２を下側に配置しているが、光ヘッドをフレキシブルディスク１０６の上側に設置する場合には、これに合わせて姿勢制御兼光学補正板１０２も上側に設置すればよい。また、第２〜第４の構成例では、光ヘッドをフレキシブルディスク１０６の上下両側に設置し、上下１対の姿勢制御兼光学補正板１０２を使用すれば、両面記録式のフレキシブルディスク１０６を用いることができる。
【００４１】
次に、スペーサー１０５を有する姿勢制御兼光学補正板１０２及び姿勢制御板１０１の作製方法について、図５を参照しながら説明する。
【００４２】
図５において、まず、ターンテーブル１０３上にスペーサー１０５を載せ、樹脂ディスペンサ２０１により紫外線樹脂をディップしておく。次に、姿勢制御板１０１又は姿勢制御兼光学補正板１０２を調整ステージ２０５上に配置し、ＣＣＤカメラ２０３により姿勢制御板１０１又は姿勢制御兼光学補正板１０２上に刻まれているミラー−溝部境界部を読み取る。スペーサー１０５が所定の取り付け位置で取り付けられるよう、調整ステージ２０５により姿勢制御板１０１又は姿勢制御兼光学補正板１０２の平面位置を調整する。位置決めをした後、ターンテーブル１０３を上昇させ、スペーサー１０５と姿勢制御板１０１又は姿勢制御兼光学補正板１０２とを接触させる。この状態で、ターンテーブル１０３を回転させながら、スポットＵＶ照射器２０２によりスペーサー１０５に向けてＵＶ光を照射することにより、姿勢制御板１０１又は姿勢制御兼光学補正板１０２とスペーサー１０５とを接着する。以上の処理工程は、画像処理ソフトを組み込んだコントローラー２０６と各モーター２０４によって自動的に行うことができる。
【００４３】
尚、スペーサー１０５の形成方法は上記に限られるわけではなく、姿勢制御兼光学補正板１０２及び姿勢制御板１０１の作製時に一体形成しておいてもよい。
【実施例】
【００４４】
上記した実施形態に従って、薄型光ディスク記録再生装置の回転機構部分を作製し、その性能を評価するための様々な実験を行った。フレキシブルディスクを使用する際に生じるエア噛みは、面ぶれとして観察されるため、記録再生装置におけるフォーカスエラー信号の発生を調べればよい。
【００４５】
まず、従来の記録再生装置において、１．２ｍｍ厚の基板を用いた光ディスクと、フレキシブルディスクとを再生し、それぞれの場合におけるフォーカスエラー信号の発生状況を観察した。その結果を、それぞれ図６及び図７に示す。これらの図から明らかなように、フレキシブルディスクを用いた場合には、１．２ｍｍ厚の光ディスクを用いた場合よりも、フォーカスエラー信号が極めて大きく発生しているので、エア噛みが大いに発生していることが判る。
【００４６】
次に、上記した実施形態に従って作製した薄型光ディスク記録再生装置におけるフォーカスエラー信号の発生状況を観察した。ここでは、外径φ１２０ｍｍのフレキシブルディスクを使用し、姿勢制御兼光学補正板（姿勢制御板）の外径をφ１２０ｍｍとしたものと１２５ｍｍとしたものとを用意して、それぞれについて観察を行った。その結果を図８に示す。この図から明らかなように、姿勢制御兼光学補正板（姿勢制御板）の外径をフレキシブルディスクの外径よりやや大きくすると、より高い姿勢安定効果が得られることが分かる。
【００４７】
次に、上記した様々な実施形態の性能を比較した。以下では、外径φ１２０ｍｍのフレキシブルディスクを使用し、外径φ１２５ｍｍの姿勢制御兼光学補正板（姿勢制御板）を使用した。環状又は扇形のスペーサーは、ＳＵＳ３０４製で外径３３ｍｍφ、内径１５ｍｍφ、厚さ０．１ｍｍのものを用いた。また、姿勢制御兼光学補正板（姿勢制御板）又はクランプに形成されるエア流入口（貫通孔）は、径をφ１〜３ｍｍとし、中心から１８ｍｍの位置に円周状に８個配置した。
【００４８】
図１に示す第１の構成例（方式１とする）、図２に示す第２の構成例（方式２とする）、図３に示す第３の構成例（方式３とする）、図４に示す第４の構成例（方式４とする）のそれぞれについて上記同様の性能評価を行った。また、方式４に加えて、姿勢制御兼光学補正板（姿勢制御板）及びフレキシブルディスクそれぞれの表面に対して、２．５ｎｍ厚のＡｇ合金薄膜を塗布した場合（方式５とする）、１０ｎｍ厚のＳｉＮ薄膜を塗布した場合（方式６とする）、各表面を＃６０００〜８０００の研磨剤で研磨した場合（方式７とする）についても、上記同様の性能評価を行った。これらの結果を図９に示す。
【００４９】
図９に示すように、上記した実施形態に従って作製された薄型光ディスク記録再生装置は、従来のフレキシブルディスクの再生装置に比べて、フォーカスエラー信号の発生が顕著に抑制されていることが分かる。すなわち、本実施形態の薄型光ディスク記録再生装置では、フレキシブルディスクと姿勢制御兼光学補正板（姿勢制御板）との間に空気の流れを発生させることにより、エア噛みの発生を低減するとともに、エア噛が発生した場合であってもこれを効果的に取り除くことができる。
【００５０】
以上、本発明の薄型光ディスクの記録再生装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００５１】
【図１】薄型光ディスク記録再生装置の回転機構部分の第１の構成例を概略的に示す断面図である。
【図２】薄型光ディスク記録再生装置の回転機構部分の第２の構成例を概略的に示す断面図である。
【図３】薄型光ディスク記録再生装置の回転機構部分の第３の構成例を概略的に示す断面図である。
【図４】薄型光ディスク記録再生装置の回転機構部分の第４の構成例を概略的に示す断面図である。
【図５】薄型光ディスク記録再生装置において用いられるスペーサーを有する姿勢制御兼光学補正板及び姿勢制御板の作製方法を示す図である。
【図６】従来の記録再生装置において、１．２ｍｍ厚の基板を用いた光ディスクを再生した場合におけるフォーカスエラー信号の発生状況を示す図である。
【図７】従来の記録再生装置において、フレキシブルディスクを再生した場合におけるフォーカスエラー信号の発生状況を示す図である。
【図８】本発明の薄型光ディスク記録再生装置において、外径の異なる姿勢制御兼光学補正板（姿勢制御板）を用いた場合におけるフォーカスエラー信号の発生状況を示す図である。
【図９】本発明の薄型光ディスク記録再生装置において、様々な姿勢制御方式及び表面処理方法を適用した場合におけるフォーカスエラー信号の発生状況を示す図である。
【図１０】通常の厚板基板、薄型基板に関して、周波数と面ぶれ量との関係を示すグラフである。
【符号の説明】
【００５２】
１０１  姿勢制御板
１０２  姿勢制御兼光学補正板
１０３  ターンテーブル
１０４  クランプ
１０５  スペーサー
１０６  フレキシブルディスク
１０７  エア流入口
２０１  樹脂ディスペンサ
２０２  照射器
２０３  カメラ
２０４  モーター
２０５  調整ステージ
２０６  コントローラー
【図１】
2006344291.tif 000003
【図２】
2006344291.tif 000004
【図３】
2006344291.tif 000005
【図４】
2006344291.tif 000006
【図５】
2006344291.tif 000007
【図６】
2006344291.tif 000008
【図７】
2006344291.tif 000009
【図８】
2006344291.tif 000010
【図９】
2006344291.tif 000011
【図１０】
2006344291.tif 000012